(57)【特許請求の範囲】
【請求項１】
扉枠に形成された収納洞内において、一定の間隔をおいて水平方向に並設された一対の保持部材と、ボルト投入孔を開口させたストライク板と、このストライク板の裏面側に一体的に結合されたトロヨケと、両端をそれぞれ保持部材に回動可能に支承され、中央部にダイアルを固定した水平な雄ねじ杆とを有し、上記トロヨケを、少なくとも水平方向における間隙を保って、一対の保持部材の間に入れ子状に遊嵌させると共に、雄ねじ杆とトロヨケとを前者が後者を貫通するようにして螺合させ、以てトロヨケとストライク板とを一体として水平方向に移動可能に案内すると共に、収納洞からの抜け止めを施し、一方、ダイアルをトロヨケ内に臨ませ、以てトロヨケ内に手指を挿入してダイアルを回動させることにより、トロヨケとストライク板の水平方向の位置を調整するようにしたことを特徴とする可動ストライク。
【請求項２】
扉枠に形成された収納洞内において、一定の間隔をおいて水平方向に並設された一対の保持部材と、ボルト投入孔を開口させたストライク板と、このストライク板の裏面側に一体的に結合されたトロヨケと、両端をそれぞれ保持部材に固定的に支持され、中央部にダイアルを螺合させた水平な雄ねじ杆とを有し、上記トロヨケを、少なくとも水平方向における間隙を保って、一対の保持部材の間に入れ子状に遊嵌させると共に、雄ねじ杆をトロヨケに非螺合状態で可動に貫通させ、以てトロヨケとストライク板とを一体として水平方向に移動可能に案内すると共に、収納洞からの抜け止めを施し、一方、ダイアルとトロヨケに設けた対をなす受け部とを、後者により前者を挟むようにして係合させ、以てトロヨケ内に手指を挿入してダイアルを回動させることにより、トロヨケとストライク板の水平方向の位置を調整するようにしたことを特徴とする可動ストライク。
【発明の詳細な説明】
【０００１】
【産業上の利用分野】
この発明は、扉枠に装着されてデッドボルトやラッチボルトを係止するストライクに係り、特に、デッドボルト投入孔或いはラッチボルト投入孔の扉厚方向の位置を調節できるようにした可動ストライクに関する。
【０００２】
【従来の技術】
本出願人は先に、実願昭５７−１８９３２８号（実開昭５９−９４５５７号）をもって、新規な可動ストライクの提案をした。
【０００３】
その可動ストライクは、扉枠に装着される押え板と、ストライク板との接合面に多数の鉛直なセレーション溝を形成し、これらセレーション溝の噛み合わせを変えることにより押え板に対するストライク板の水平方向の相対位置を調節できるようにしたものである。
【０００４】
【発明が解決しようとする課題】
上記した従来の可動ストライクは、勿論所期の機能を発揮し、実用されているが、セレーションの噛み合わせを利用してストライク板の位置を調節するので、調節量が不連続になって微妙な調節ができない、という不都合がある。
【０００５】
又、ストライク板と押え板との噛み合わせを変えるとき、１回の調節毎に、ドライバーでストライク板を外す手間と、ストライク板をずらせる手間と、ストライク板を再び押え板にねじ止めする手間とが必要であり、要するに調節が面倒であった。
【０００６】
これに加えて、ストライク板の位置を調節する必要が生じた場合、ストライク板を押え板から脱着するためにドライバーを捜してくる必要があり、面倒臭がりの人は、折角ストライク板に位置調節機能があったとしても、諦めてその侭にする場合がしばしばである、ということは容易に推定できる。
【０００７】
この発明は、ストライク板の水平方向の位置の調節を、ドライバー等の工具を用いなくても手指で、しかも連続的に調節できる可動ストライクを提供することを目的としている。
【０００８】
【課題を解決するための手段】
上記の目的を達成するため、この発明の請求項１に係る可動ストライクは、扉枠に形成された収納洞内において、一定の間隔をおいて水平方向に並設された一対の保持部材と、ボルト投入孔を開口させたストライク板と、このストライク板の裏面側に一体的に結合されたトロヨケと、両端をそれぞれ保持部材に回動可能に支承され、中央部にダイアルを固定した水平な雄ねじ杆とを有し、上記トロヨケを、少なくとも水平方向における間隙を保って、一対の保持部材の間に入れ子状に遊嵌させると共に、雄ねじ杆とトロヨケとを前者が後者を貫通するようにして螺合させ、以てトロヨケとストライク板とを一体として水平方向に移動可能に案内すると共に、収納洞からの抜け止めを施し、一方、ダイアルをトロヨケ内に臨ませ、以てトロヨケ内に手指を挿入してダイアルを回動させることにより、トロヨケとストライク板の水平方向の位置を調整するようにしたことを特徴とする。
【０００９】
また、この発明の請求項２に係る可動ストライクは、扉枠に形成された収納洞内において、一定の間隔をおいて水平方向に並設された一対の保持部材と、ボルト投入孔を開口させたストライク板と、このストライク板の裏面側に一体的に結合されたトロヨケと、両端をそれぞれ保持部材に固定的に支持され、中央部にダイアルを螺合させた水平な雄ねじ杆とを有し、上記トロヨケを、少なくとも水平方向における間隙を保って、一対の保持部材の間に入れ子状に遊嵌させると共に、雄ねじ杆をトロヨケに非螺合状態で可動に貫通させ、以てトロヨケとストライク板とを一体として水平方向に移動可能に案内すると共に、収納洞からの抜け止めを施し、一方、ダイアルとトロヨケに設けた対をなす受け部とを、後者により前者を挟むようにして係合させ、以てトロヨケ内に手指を挿入してダイアルを回動させることにより、トロヨケとストライク板の水平方向の位置を調整するようにしたことを特徴とする。
【００１０】
【作用】
上記のように構成されたこの発明の請求項１の可動ストライク（図１〜図４参照）は、ストライク板のボルト投入孔内に手指を挿入し、トロヨケ内のダイアルを回すと、これと一体の雄ねじ杆も一対の保持部材の間で回動する。
【００１１】
したがって、雄ねじ杆と螺合しているトロヨケ及びこれと一体のストライク板は水平方向に移動するので、適当な位置でダイアルの操作を停止すると、ストライク板もその位置で停止する。つまり、ストライク板の位置を調節することができる。
【００１２】
閉扉中ストライク板のボルト投入孔の開口端縁に印加される扉からの反力は、トロヨケ及びこれと螺合する雄ねじ杆を介して保持部材の一方に伝達され、これに担持される。
【００１３】
また、この発明の請求項２の可動ストライク（図５〜図８参照）は、ストライク板のボルト投入孔内に手指を挿入し、トロヨケ内のダイヤルを回すと、雄ねじ杆に螺合させたダイヤルは該雄ねじ杆の長さ方向に変位する。
【００１４】
したがって、一方の受け部を介してトロヨケ及びこれと一体のストライク板は水平方向に移動するので、適当な位置でダイアルの操作を停止すると、ストライク板もその位置で停止し、もって、ストライク板の位置の調整が達成される。
【００１５】
閉扉中ストライク板のボルト投入孔の開口端縁に印加される扉からの反力は、トロヨケ、受け部、ダイヤル及び雄ねじ杆を介して保持部材の一方に伝達され、これに受け止められる。
【００１６】
【実施例】
以下、この発明の第１実施例を図面を参照して説明する。
図１乃至図３において、符号１は収納箱を示し、この収納箱１は、図４に示すトロヨケ５と同様に一面が開口した箱状体で、扉枠２に掘り込まれた収納洞２ａに入れ子状に収納されている。
【００１７】
そして、図１に示すように、その短い方の開口端縁部に一体に結合された取付け片１ａ、１ａを介して、扉枠２に止めねじ１０で止められている。
【００１８】
図３に示すこの収納箱１の一対の側板１ｂ、１ｂは保持部材を構成しており、この保持部材１ｂ、１ｂ間に後述の雄ねじ杆３が回動自在に支承されている。
【００１９】
一方、この収納箱１の開口を覆うようにストライク板３が装着されている。このストライク板３は、図１に示すような縦長の矩形の板状体であり、その中央部には、閉扉時ラッチボルトやデッドボルトが投入されるボルト投入孔４が開口している。
【００２０】
上記ストライク板３の裏面には、図４に示すように一面が開いた箱状のトロヨケ５が、ボルト投入孔４とほぼ同じ大きさのその開口をストライク板３側に向け、かつ、ボルト投入孔４に整合させた状態で一体に結合されている。
【００２１】
このトロヨケ５の短いほうの開口端縁には、図４に示すように、結合片５ａ、５ａが一体に形成されており、各結合片５ａの中央部には付番しない雌ねじ孔が開口している。
【００２２】
そして、図１に示すように、ストライク板３を貫通し、この結合片５ａの雌ねじ孔と螺合する止めねじ２０により、ストライク板３及びトロヨケ５が一体に結合されている。
【００２３】
また、図４に示すように、トロヨケ５の側面には、これを水平方向に貫通する雌ねじ孔５ｂが開口している。
【００２４】
このトロヨケの雌ねじ孔５ｂには、図３に示すように、一対の保持部材１ｂ、１ｂにより回動可能に支承され、長さ方向の移動を拘束された雄ねじ杆６が螺合している。
【００２５】
図示の第１実施例では、図３における左端に小径段部を形成した雄ねじ杆６を、右側の保持部材１ｂに開口した雄ねじ杆の外径よりやや大きな内径の挿入孔より挿入し、雄ねじ杆６の右端部に止め輪７（図３参照）を嵌着することにより、雄ねじ杆６を一対の保持部材１ｂ、１ｂ間で回動自在に、かつ、軸線方向の移動を拘束した状態で支承している。
【００２６】
上記雄ねじ杆６の中央部にはダイアル８が固定されている。第１実施例におけるダイアル８は、外周面にローレット溝を刻設し、中心軸線に沿って雄ねじ杆６と螺合する雌ねじ孔を形成した短円柱体である。
【００２７】
ダイアル８の両側面近傍における雄ねじ杆６には止め輪７、７が嵌着されている。したがって、ダイアル８が雄ねじ杆６に対し相対的に回動できるとしても、その回動には雄ねじ杆６の長さ方向の移動が伴うので、この移動が止め輪７によって阻止され、結局ダイアル８が雄ねじ杆６に固定されることになる。
【００２８】
上記したトロヨケ５、雄ねじ杆６、ダイアル８等を収納箱１内に組み付けるには、例えば、先ず、ストライク板３を取り外した状態で、トロヨケ５を収納箱１内に入れ子状に遊嵌し、ダイアル８を取り外した雄ねじ杆６を図３における右側の保持部材１ｂに開口した挿入孔から収納箱１内に挿入し、トロヨケの一方の側板を貫通するようにして雄ねじ杆６の左端をトロヨケ５内に捩じ込む。
【００２９】
なお、雄ねじ杆６を操作するため、雄ねじ杆６の図１及び図３における右端面に、例えばスリワリや十字溝等の工具係合部（図示せず）を形成しておくものとする。
【００３０】
次に、ダイアル８をトロヨケ５内に入れ、雄ねじ杆６の左端部がダイアル８を軸線方向に貫通するように捩じ込み、ダイアル８を抜け出た雄ねじ杆をさらにトロヨケ５の他方の側板を貫通するように捩じ込む。符号５ｂ、５ｂはトロヨケ５の両側板に設けた雌ねじ孔である。
【００３１】
そして、トロヨケ５を貫通した雄ねじ杆６の左端の小径部を他方の保持部材１ｂに開口した支持孔（付番せず）に嵌合させる。
【００３２】
このときには雄ねじ杆６の右端がトロヨケ５の図３における右方の側板の挿入孔に嵌合するから、収納箱１の開口端縁とトロヨケ５のそれとの間から止め輪７を雄ねじ杆６の右端部に嵌着して雄ねじ杆６を収納箱１内に拘束する。
【００３３】
その後、ダイアル８を雄ねじ杆６の中央部に持ってきて、その両側に止め輪７、７を嵌着してダイアル８を固定する。
【００３４】
尚、これは本発明の請求項１における必須の構成要件ではないが、トロヨケ５内に断面コ字形に折曲した底板９を装着する。この底板９は、雄ねじ杆６とトロヨケ５の側板との螺合部を隠して見栄えを良くするものである。
【００３５】
この底板中央部には、ダイアル８に対するトロヨケ５の水平方向の相対移動時ダイアル８との干渉を避けるため、ダイアル８の厚み、即ち図１及び図３における左右の寸法より大きな切欠を開口させ、この切欠からダイアル８の一部をトロヨケ５内に臨ませる。
【００３６】
この発明による可動ストライクを扉枠に装着するには、ストライク板３を取り外した状態で収納箱１を扉枠に装着し、然る後ストライク板３をトロヨケにねじ止めする。
【００３７】
尚、ストライク板３をトロヨケ５にねじ止めするように構成した理由は、雄ねじ杆６の図３における右端部の止め輪７を嵌着し易くするためであって、例えば、収納箱１の底部に穴を開ける等して、そこから止め輪７を嵌着できるようにすれば、例えば溶接等の結合手段により、予めストライク板３とトロヨケ５を一体に結合しておくことができる。
【００３８】
なお、図３において符号１１は閉扉時における扉の自由側端縁部を、符号１２はラッチボルトの頭部をそれぞれ示す。
【００３９】
上記のように構成されたこの発明の第１実施例による可動ストライクは、図３から明らかなように、ストライク板３に掛かる扉１１からの反力は、トロヨケ５、及びこれと螺合する雄ねじ杆６を介して、収納箱１の側板である保持部材１ｂに担持される。
【００４０】
また、雄ねじ杆６回りのモーメントは、ストライク板３を介して、これと接合する扉枠表面に担持される。
【００４１】
図５乃至図８はこの発明の第２実施例を示す。第２実施例については、主として第１実施例と異なる部分についてのみ説明する。両実施例において同一の符号で指し示す部材は相互にほぼ同等の部材を示す。
【００４２】
第２実施例においては、収納箱１の一対の側板から成る保持部材１ｂ、１ｂに対し、雄ねじ杆６は固定させて設ける。
【００４３】
雄ねじ杆６の固定手段の一例を図７を参照して説明すると、雄ねじ杆６の左端（先端）の小径段部を例えば小判形等の横断面非円形とし、それを一方（左方）の保持部材１ｂに開口した非円形の装着孔に嵌合させると共に、雄ねじ杆６の右端部（基端部）には他方（右方）の保持部材１ｂに内側から当接させた止め輪７を嵌着させてある。
【００４４】
この構造により、雄ねじ杆６は保持部材１ｂ、１ｂに対し、回動並びに軸線方向の移動が共に拘束される。
【００４５】
但し、ダイアル８は、この発明のストライクが扉枠２に装着された後でも、雄ねじ杆６に対し回動並びに軸線方向の移動が可能に螺合させてある。
【００４６】
換言すれば、この例では第１実施例とは異なり、ダイアル８の両側面近傍には止め輪は設けられていない。
【００４７】
また、雄ねじ杆６は、トロヨケ５の両側板に対し螺合させてあるものではなく、挿通孔５ｃ、５ｃをもって単に貫通させてあるだけである。
【００４８】
すなわち、雄ねじ杆６はトロヨケ５に対し非螺合状態にして軸線方向に可動に貫通させてある。
【００４９】
前記のダイアル８の両側面には、トロヨケ５内に固定的に設けた受け部９ａがそれぞれ対向させてある。
【００５０】
２つの受け部９ａ、９ａは対をなすもので、ダイアル８の側面に近接させてあり、ダイアル８を両側面から挟むような位置関係にある。
【００５１】
図示の受け部９ａ、９ａは、図６に明示するように、トロヨケ５内に止めねじ５０で固設した断面コ字形の底板９の一部をなす。
【００５２】
底板９のほぼ中央部にはダイアル８の一部がトロヨケ５内の外方側に露出するような開口が設けられ、その開口の周縁部において、ダイアル８を側面から厚さ方向に挟む２つの部分が受け部９ａ、９ａを形成する。
【００５３】
なお、上記の受け部（９ａ）として、トロヨケ５の内壁面を利用することもできる。その場合、トロヨケ５の一側又は両側の内壁面にダイアル８の側面部を直接当接させるようにすればよい。
【００５４】
上記のように構成されたこの発明の第２実施例による可動ストライクは、図７から明らかなように、ストライク板３に作用する扉１１からの反力は、トロヨケ５、受け部９ａ、ダイアル８及び雄ねじ杆６を介して、保持部材１ｂの一方に伝達され、それによって受け止められる。
【００５５】
【発明の効果】
以上の説明から明らかなように、請求項１の発明では、扉枠に形成された収納洞内に一対の保持部材を設け、これらの保持部材間に水平な雄ねじ杆を回動可能に支承すると共に、ストライク板と一体的に結合され、保持部材間に水平方向に間隙を保って入れ子状に遊嵌するトロヨケと雄ねじ杆とを螺合させ、さらに雄ねじ杆の中央部に固定されたダイアルをトロヨケ内空間に臨ませるようにしたので、また、請求項２の発明では、扉枠に形成された収納洞内に一対の保持部材を設け、これらの保持部材に水平な雄ねじ杆を固定的に支持させると共に、該雄ねじ杆は、ストライク板と一体的に結合され、保持部材間に水平方向に間隙を保って入れ子状に遊嵌させるトロヨケに対し、非螺合状態で可動に貫通させ、ダイアルをトロヨケ内の対をなす受け部に対向させるように位置させたので、トロヨケ内に手指を入れてダイアルを回転させることにより、トロヨケ及びこれと一体のストライク板の扉厚方向の位置を、工具を用いることなく、しかも連続的に調節できるという効果を奏する。
【００５６】
更に、ダイアルはストライク板から外部へ突出させてないので、邪魔になることがなく、また、子供のいたずらも防げるなどの効果も達成する。
【図面の簡単な説明】
【図１】この発明の可動ストライクの第１実施例を示す正面図。
【図２】図１のＩＩ−ＩＩ線による縦断側面図。
【図３】図１のＩＩＩ−ＩＩＩ線による横断平面図。
【図４】図１の可動ストライクから取り外したトロヨケの斜視図。
【図５】この発明の可動ストライクの第２実施例を示す正面図。
【図６】図５のＶＩ−ＶＩ線による縦断側面図。
【図７】図５のＶＩＩ−ＶＩＩ線による横断平面図。
【図８】図５の可動ストライクから取り外したトロヨケの斜視図。
【符号の説明】
１  収納箱
１ａ  取付け片
１ｂ  保持部材
２  扉枠
２ａ  収納洞
３  ストライク板
４  ボルト投入孔
５  トロヨケ
５ａ  結合片
５ｂ  雌ねじ孔
５ｃ  挿通孔
６  雄ねじ杆
７  止め輪
８  ダイアル
９  底板
９ａ  受け部
１０  止めねじ
２０  止めねじ
５０  止めねじ
１１  扉
１２  ラッチボルト
【図１】
0003639930.tif 000002
【図２】
0003639930.tif 000003
【図３】
0003639930.tif 000004
【図４】
0003639930.tif 000005
【図５】
0003639930.tif 000006
【図６】
0003639930.tif 000007
【図７】
0003639930.tif 000008
【図８】
0003639930.tif 000009